(57)【要約】【課題】煎豆機を提供する。【解決手段】煎豆機は本体Ａ、煎豆室Ａ１、豆入り蓋Ｄ、前枠板Ａ１２、表蓋Ｂ、ねじユニットＢ１、裏蓋Ｅ、ファンＧ１、濾過ネットＦ、ファン・ベースＧ、コントローラーＡ２および熱放射部２１で構成される。本体Ａの上方にある煎豆室Ａ１の中央には電熱パイプ及び回転シャフトが設けられる。本体Ａの前方には前枠板Ａ１２が設けられ、前枠板Ａ１２の前方には透明のフロント・ウィンドーＢ０を有する表蓋Ｂが設けられる。前枠板Ａ１２と表蓋Ｂとは自由に組み立て、取り外せる。前枠板Ａ１２と表蓋Ｂとを組み立てる場合、ねじユニットＢ１によって簡単に組み立てられるので、使用者が直接、煎豆室Ａ１を清潔にできて残り屑及び炭が溜まることを避けられる。【選択図】　図１
0003097536.tif 000002
【実用新案登録請求の範囲】
【請求項１】
やけどを防止して、快速及び便利で煎豆室を清潔にし、その内部の排気ガスを強制に排出し、油の排気及び微小な粒を濾過可能であり、環境の汚染を減少し、豆を焙煎する品質を向上し、豆を焙煎する場合の豆が噴出することと押し出されることを防止し、完成品の冷却速度を加速することで、品質を向上するとともに元の味を維持可能な煎豆機であって、
本体、煎豆室、豆入り蓋、前枠板、表蓋、ねじユニット、裏蓋、ファン、濾過ネット、ファン・ベース、コントローラー、熱放射部、制御パネルおよび保護ネットで構成され、
本体の上方に、電熱パイプ及び回転シャフトが設けられ、その前方に濾過綿のあるネットプレートが設けられ、その下方と接続する場所に、引き出せる屑入れプレート及び熱を放射するファンが設けられ、本体が煎豆室のある側に、電磁気バルブの止め板が設けられ、本体の下方に熱放射部が設けられ、その底部にモーターシャフトの突出を提供する屑入れプレートが設けられ、その上に攪拌及び不純物を取り外せ、掻き集め棒及び網孔のある冷却プレートが設けられ、
煎豆室の前方に取り外す及び組み立てる前枠板と表蓋が設けられ、指で回転することを提供するねじユニットによりその二つが組み立てられ、煎豆室の後方内部に順序にファンと網孔のある裏蓋及びファン・ベースが設けられ、その間にギャップが形成され、そのギャップの中に取り替える及び油及び微小な粒を濾過可能な濾過ネットが設けられ、その煎豆室の上方にある豆入り口に、別で折り目及び下へ止め板が伸びる豆入り蓋が設けられ、煎豆室のエッジとラッチして、豆が外へ噴出すること及び押し出されることを防止し、本体の内外にそれぞれ電子式コントローラー及び制御パネルの電気制御装置が設けられ、その制御パネルの中に、時間延長ボタン、スイッチ、直ちに豆を排出するボタン、指示ライト、豆を焙煎する時間選択ボタン及び時間指示ライトを有することを特徴とする煎豆機。
【請求項２】
底部に孔が設けられ、その内部にファンが設けられ、ファンと相対する屑入れプレートとに通し孔が設けられ、その屑入れプレートの内側に突出ロッドを設けることで、冷却プレートの網孔に挿入して固定し、また、その上に異物侵入を防止するネットが設けられ、それにより、風を吹き出して冷却プレートの上で豆を冷却することを特徴とする請求項１記載の煎豆機。
【請求項３】
煎豆室の外にラッチフックが設けられ、そのラッチフックの上にラッチリングのある保護枠（Ａ１１２）を設けることで、やけど及び直接触ることを防止することを特徴とする請求項１または２記載の煎豆機。
【考案の詳細な説明】
【０００１】
【考案の属する技術分野】
この考案は煎豆機に関するものである。
【０００２】
【従来の技術】
従来、豆を焙煎するために煎豆機を使用することが知られている。
【０００３】
【考案が解決しようとする課題】
この考案の主要な目的は、煎豆機を提供するものである。それによる快速及び便利で煎豆室を清潔にできる。また、その内部の排気ガスを強制に排出させ、油の排気及び微小な粒を濾過できるので、環境の汚染を減少、豆を焙煎する場合の豆噴出を防止できるのである。
【０００４】
この考案の次の目的は、煎豆機を提供するものである。それによる、焙煎された後の豆を加速で熱放射させるので、品質を向上、元の味を守るなどの長所があるのである。
【０００５】
この考案の別ひとつの目的は、煎豆機を提供するものである。それによる、煎豆室の外側に高温で手にやけどになること、及び子供が直接手で触ることを避けられるのである。
【０００６】
【課題を解決するための手段】
請求項１記載の考案によると、煎豆機であって、やけどを防止して、快速及び便利で煎豆室を清潔、その内部の排気ガスを強制に排出し、油の排気及び微小な粒を濾過可能であり、環境の汚染を減少、豆を焙煎する品質を向上、豆を焙煎する場合の豆が噴出することと押し出されることを防止し、完成品の冷却速度を加速するなどで、品質を向上するとともに元の味を維持可能であって、本体、煎豆室、豆入り蓋、前枠板、表蓋、ねじユニット、裏蓋、ファン、濾過ネット、ファン・ベース、コントローラー、熱放射部、制御パネルおよび保護ネットで構成され、本体の上方に、電熱パイプ及び回転シャフトが設けられ、その前方に濾過綿のあるネットプレートが設けられ、その下方と接続する場所に、引き出せる屑入れプレート及び熱を放射するファンが設けられ、本体が煎豆室のある側に、電磁気バルブの止め板が設けられ、本体の下方に熱放射部が設けられ、その底部にモーターシャフトの突出を提供する屑入れプレートが設けられ、その上に攪拌及び不純物を取り外せ、掻き集め棒及び網孔のある冷却プレートが設けられ、煎豆室の前方に取り外す及び組み立てる前枠板と表蓋が設けられ、指で回転することを提供するねじユニットによりその二つが組み立てられ、煎豆室の後方内部に順序にファンと網孔のある裏蓋及びファン・ベースが設けられ、その間にギャップが形成され、そのギャップの中に取り替える及び油及び微小な粒を濾過可能な濾過ネットが設けられ、その煎豆室の上方にある豆入り口に、別で折り目及び下へ止め板が伸びる豆入り蓋が設けられ、煎豆室のエッジとラッチして、豆が外へ噴出すること及び押し出されることを防止し、本体の内外にそれぞれ電子式コントローラー及び制御パネルの電気制御装置が設けられ、その制御パネルの中に、時間延長ボタン、スイッチ、直ちに豆を排出するボタン、指示ライト、豆を焙煎する時間選択ボタン及び時間指示ライトを含むことを特徴とする。
【０００７】
請求項２記載の考案によると、底部に孔が設けられ、その内部にファンが設けられ、ファンと相対する屑入れプレートとに通し孔が設けられ、その屑入れプレートの内側に突出ロッドを設けることで、冷却プレートの網孔に挿入して固定し、また、その上に異物侵入を防止しするネットが設けられ、それによる、風を吹き出して冷却プレートの上での豆を冷却とする。
【０００８】
請求項３記載の考案によると、煎豆室の外にラッチフックが設けられ、そのラッチフックの上にラッチリングのある保護枠Ａ１１２を設けることで、やけど及び直接触ることを防止する。
【０００９】
【考案の実施の形態】
図１、２、３、５をご参照ください。それはこの考案の実施例の立体分解図、熱放射部２１の立体分解図、熱放射部２１の見下ろす図、組み立て断面図、及び豆８の動き、排気ガスの通過ルート図である。それは主に本体Ａ、煎豆室Ａ１、豆入り蓋Ｄ、前枠板Ａ１２、表蓋Ｂ、ねじユニットＢ１、裏蓋Ｅ、ファンＧ１、濾過ネットＦ、ファン・ベースＧ、コントローラーＡ２、熱放射部２１、制御パネルＨ、保護ネットＡ１１２で構成されたのである。
【００１０】
その本体Ａの上方にある煎豆室Ａ１の中央に、電熱パイプ及び回転シャフトが設けられ、その前方に前枠板Ａ１２が設けられ、また、その前枠板Ａ１２の前方に、透明のフロント・ウィンドーＢ０がある表蓋Ｂを組み立てる。その二つのものは、自由に組み立て、取り外せるものである。組み立てる場合、指の握ることを提供するねじユニットＢ１による簡単に組み立てられるので、使用者が快速及び便利で直接に煎豆室Ａ１を清潔して、残り屑及び石炭の溜まることを避けられる。上述による、豆８を煎豆室Ａ１の中に焙煎する場合、たくさんの煙を生じて空気を汚染する事、及び大きい火を生じる事を避けられるし、ゴキブリ、虫、蟻を生じる事も避けられるので、清潔及び衛生な環境を維持できるものである。
【００１１】
更に、本体Ａの上方にある可動式エア・ネットプレートＣの内部に、油及び微小な粒を吸収できる濾過綿Ｃ１が設けられ、また、本体Ａの煎豆室Ａ１の後方に内部から外へ順序による、網孔Ｅ１のある裏蓋Ｅを設け、裏蓋Ｅの後方にファンＧ１を設けることで、煎豆室Ａ１が焙煎する場合生じた排気ガスを強制に吸い取れる。
【００１２】
また、その裏蓋Ｅの後方にそれと組み立てられるファン・ベースＧが設けられ、その間にギャップＥ２が形成され、そのギャップＥ２による、いつでも濾過ネットＦを快速及び便利で取り替えられる。ファンＧ１が作動する場合、煎豆室Ａ１の排気ガスを吸い取れ、濾過ネットＦは排気ガスの中での油及び微小な粒を濾過できる図５の矢印方向の通り。また、煎豆室Ａ１の上部に、材料入りを提供する豆入り口Ａ１３が設けられ、その豆入り口Ａ１３を開く及び閉めるため、その上に、手の握ることを提供する突出部のある豆入り蓋Ｄが設けられ、豆を煎豆室Ａ１の内部に焙煎する場合、回転で焙煎して、外へ噴出または押し出されることを防止するため、豆入り蓋Ｄのある角に折り目Ｄ１が設けられ、それによる、煎豆室Ａ１のエッジと穏やかにラッチでき、折り目Ｄ１の下部に止め板Ｄ２を伸びて設けることで、豆８が煎豆室Ａ１の入り口から外部へ噴出または押し出されることを止められる。
【００１３】
本体Ａの下方の前側に、豆８の完成品を快速に冷却させる熱放射部２１が設けられ図２、３、５及び図４で示される図３の断面図、及び図６で示された熱放射部２１で豆８を冷却する動作図をご参照ください。熱放射部２１がベース２０と近いところに孔２０１を設けることで、その上方の内部にあるファン２１１の空気の入ることを提供とし、ファン２１１の側にモーター２１２が設けられ、そのモーター２１２による、豆８を攪拌して冷却するパワーを提供とする。そのモーター２１２の中央に、モーターのシャフト２１２０が設けられ、豆８を載せ、攪拌及び熱放射を提供とする。そのモーター２１２の上方に屑入れプレート２１５が設けられ、その屑入れプレート２１５の底部のエッジに固定用の突出ロッド２１６が設けられ、ある側の底面に、別でファン２１１と相対する通し孔２１５０が設けられ、そのネット２１３の上方に異物侵入を防止して、ファン２１１の正常運転及び安全を提供するネット２１３が設けられる。
【００１４】
また、前述の通し孔２１５０は、ファン２１１から吹き出す気流がベース２０の孔２０１から屑入れプレート２１５までに直通して、上へ向かうことを提供とする。本体Ａの上方にある煎豆室Ａ１から落ちる焙煎された豆８を引き受けるため、屑入れプレート２１５の上方に冷却プレートＡ０が設けられ、その冷却プレートＡ０の上方に、複数で均等に配布された網孔Ａ０１１が設けられ、その網孔Ａ０１１の用途の一つは、ファン２１１から吹き出す気流風の通過を提供することで、その上に落ちた豆８を冷却させるのであり、その用途の二は、屑入れプレート２１５の底面のエッジに設けられた突出ロッド２１６の設けて固定することを提供するものである図６の通り。
【００１５】
豆８の攪拌及び熱放射、冷却を提供するため、その中央に長方形の形で両側に扇形を呈する掻き集め棒Ａ０２が設けられ、その掻き集め棒Ａ０２を可動式で冷却プレートＡ０の中央にある孔に嵌めて、その下方にあるモーターのシャフト２１２０による連動して回転させる。即ち、モーター２１２を回転する場合、屑入れプレート２１５の下方に、モーターのシャフト２１２０があるモーター２１２が設けられ、その底面の周りに、冷却プレートＡ０の網孔Ａ０１１と固定で嵌める突出ロッド２１６が設けられるので、モーター２１２及び掻き集め棒Ａ０２を回転する場合、冷却プレートＡ０の上での豆８を攪拌及び熱放射、冷却させるだけ、屑入れプレート２１５及び冷却プレートＡ０を回転させないので、掻き集め棒Ａ０２の故障することを防止できる。また、冷却プレートＡ０の上方での豆８を全般的に動かせて、下方にあるファン２１１の風を吹くことによる、快速の熱放射及び冷却を達して、豆８の元の味と品質を守れるものである。
【００１６】
図５、７、８のこの考案の実施例の組み立て断面図、及び豆８を焙煎する動き、排気ガスの通過ルート図、保護ネットＡ１１２の立体分解図、立体組み立て図をご参照ください。この考案の本体Ａの内外に、それぞれ電子式コントローラーＡ２及び時間延長ボタンＨ１、スイッチＨ２、直ちに豆を排出するボタンＨ３、指示ライトＨ４、時間選択ボタンＨ５、指示ライトＨ６の制御インタフェースＨの電気制御装置が設けられたので、焙煎の状況を最も精密に制御できる。その上、豆８の品質及び風味を守れる。この実施例の時間指示ライトＨ６を７段階分けて、７段の豆を焙煎する時間選択ボタンＨ５の選択による、違う時間の焙煎を行える。また、時間を延ばす場合、別で時間延長ボタンＨ１を押すだけで良いのである。更に、豆８を煎豆室Ａ１から排出して、冷却プレートＡ０の中に落ちることを提供する場合、直ちに豆を排出するボタンＨ３を押すと、煎豆室Ａ１の下方のある側での電磁気バルブよりその止め板を開く図５の傾く角を呈する仮想のライン止め板の通り。
【００１７】
豆８はそれと連結する斜めの滑りスロットから冷却プレートＡ０まで落ちる。同時に、煎豆室Ａ１の中での豆８を焙煎する場合及び焙煎した後、その不純物を取り除き、及び加速で熱を放射するため、煎豆室Ａ１の下方と接続する場所に、屑を集める屑入れプレートＡ１１、及び煎豆室Ａ１の熱い気体を上に向かうためのファンが設けられたのである。即ち、図の中での屑入れプレートＡ１１の下方にある突出部である。
【００１８】
更に、使用者の安全性を考えて、煎豆室Ａ１の外側の高温で手のやけどこと及び子供の触ることを防止するため、煎豆室Ａ１の外側が制御パネルＨと近い場所にラッチフックＡ１１１が設けられ、そのラッチフックＡ１１１の外側に内部にラッチリングＡ１１３のある保護ネットＡ１１２が設けられ、その煎豆室Ａ１に保護ネットＡ１１２をラッチした後、保護ネットＡ１１２と煎豆室Ａ１の間に距離空間が形成されたので、使用者がこの考案を操作する場合、または子供がこの考案を触る場合、直接煎豆室Ａ１の外側を触らないので、相当に安全のものである。
【図面の簡単な説明】
【図１】本考案の実施例による煎豆機を示す立体分解図である。
【図２】本考案の実施例による熱放射部を示す立体分解図である。
【図３】本考案の実施例による熱放射部を示す上面図である。
【図４】本考案の実施例による熱放射部を示す断面図である。
【図５】本考案の実施例による豆が焙煎される動きおよび排気ガスの通過ルートを示す組み立て断面図である。
【図６】本考案の実施例による熱放射部を冷却および豆が焙煎される動作を示す図である。
【図７】本考案の実施例による保護ネットを示す立体分解図である。
【図８】本考案の実施例による保護ネットを示すの立体組み立て図及び部分拡大図である。
【符号の説明】
８　　　豆
２１　　　熱放射部
Ａ　　　本体
Ａ１　　　煎豆室
Ａ１２　　　前枠板
Ａ１１２保護ネット
Ａ２　　　コントローラー
Ｂ　　　表蓋
Ｂ１　　　ねじユニット
Ｄ　　　豆入り蓋
Ｅ　　　裏蓋
Ｆ　　　濾過ネット
Ｇ　　　ファン・ベース
Ｇ１　　　ファン
Ｈ　　　制御パネル
【図１】
0003097536.tif 000003
【図２】
0003097536.tif 000004
【図３】
0003097536.tif 000005
【図４】
0003097536.tif 000006
【図５】
0003097536.tif 000007
【図６】
0003097536.tif 000008
【図７】
0003097536.tif 000009
【図８】
0003097536.tif 000010